(57)【特許請求の範囲】
【請求項１】
シールド（３）の内面を覆う防曇シート（４）の周縁部に形成される複数の座部（６）と、前記座部（６）との対応位置で前記シールド（３）に設けられる複数の支持孔（７）と、前記支持孔（７）に支持されながら前記座部（６）に着座することで防曇シート（４）を保持する複数の保持部材（８）とよりなり、
前記保持部材（８）を、前記シールド（３）の外面に当接する頭部（９ａ）を一端に有して前記支持孔（７）に回転自在に嵌合する主軸（９）と、前記主軸（９）の他端に偏心して一体に連設されて前記座部（６）に着座し得る、前記主軸（９）より小径の偏心軸（１０）と、前記偏心軸（１０）の外端に一体に連設され、前記主軸（９）と協働して前記偏心軸（１０）周りに環状溝（１２）を画成する、前記支持孔（７）を通過可能な膨大端部（１１）とよりなる合成樹脂製の単一部品に構成し、
前記主軸（９）に、一端が前記頭部（９ａ）に開口して他端が前記偏心軸（１０）へ向かって開口する凹部（１３）を形成するとともに、一端が前記頭部（９ａ）にヒンジ部（１４）を介して接続された係止部材（１５）に係止爪（１５ｃ）を突設し、前記係止部材（１５）が前記ヒンジ部（１４）周りに回動して前記凹部（１３）に嵌合したとき、前記係止爪（１５ｃ）は前記シールド（３）の内面に当接し得るように前記主軸（９）の外周面から径方向外側に突出することを特徴とするシールドへの防曇シート取り付け構造。
【請求項２】
前記保持部材（８）が前記支持孔（７）に支持された状態で、前記頭部（９ａ）は前記シールド（３）の外面に密着して前記保持部材（８）が前記支持孔（７）の内部に落下するのを阻止するとともに、前記頭部（９ａ）は前記シールド（３）の内面に密着する前記係止爪（１５ｃ）と協働して該シールド（３）を保持することを特徴とする、請求項１に記載のシールドへの防曇シート取り付け構造。
【請求項３】
前記主軸（９）の外周面において、前記凹部（１３）と反対側の位置に径方向外側に突出する補助係止爪（９ｅ）を突設し、前記補助係止爪（９ｅ）の突出量を前記係止爪（１５ｃ）の突出量よりも小さくしたことを特徴とする、請求項１または請求項２に記載のシールドへの防曇シート取り付け構造。
【請求項４】
前記主軸（９）の軸方向中間部の外周に周方向溝（９ｂ）を介して小径部（９ｃ）を形成したことを特徴とする、請求項１〜請求項３の何れか１項に記載のシールドへの防曇シート取り付け構造。
【請求項５】
前記頭部（９ａ）に、前記偏心軸（１０）の前記主軸（９）に対する偏心位置を示す目印（１６）を付す一方、前記膨大端部（１１）に工具係合部（１１ａ）を形成したことを特徴とする、請求項１〜請求項４の何れか１項に記載のシールドへの防曇シート取り付け構造。
【請求項６】
前記防曇シート（４）の外面に、その周縁に沿い無端状に延びて前記シールド（３）の内面に密接するシール部材（５）を付設して、前記シールド（３）および前記防曇シート（４）間に前記シール部材（５）に囲まれる密閉空隙（１７）を画成したことを特徴とする、請求項１〜請求項５の何れか１項に記載のシールドへの防曇シート取り付け構造。
【発明の詳細な説明】
【技術分野】
【０００１】
本発明は、ヘルメット等に装着されるシールドの内面に防曇シートを取り付ける構造に関し、特に、シールドの内面を覆う防曇シートの周縁部に形成される複数の座部と、これら座部との対応位置でシールドに設けられる複数の支持孔と、これら支持孔に支持されながら前記座部に着座することで防曇シートを保持する複数の保持部材とよりなる、シールドへの防曇シート取り付け構造の改良に関する。
【背景技術】
【０００２】
このようなシールドへの防曇シート取り付け構造は、本出願人の出願に係る下記特許文献１により公知である。
【先行技術文献】
【特許文献】
【０００３】
【特許文献１】特開２０１１−２５２２５８号公報
【発明の概要】
【発明が解決しようとする課題】
【０００４】
特許文献１に記載されたものは、シールドに防曇シートを保持する保持部材が、シールドの支持孔に嵌合する主軸と、この主軸に偏心して一体に連設された偏心軸とを備えており、支持孔に嵌合する主軸を１８０°回転させて偏心軸を防曇シートの座部に着差させることで、防曇シートをシールドに着脱自在に固定するようになっている。
【０００５】
このとき、保持部材の主軸を、偏心軸に連なる主軸主部と、主軸主部にスリットを介して接続された弾性片とに区分するとともに、弾性片の自由端に係止爪を設け、主軸を支持孔に挿入するときに、弾性片の弾性変形により係止爪が支持孔を通過し、支持孔を通過した後に弾性片の弾発力で係止爪が支持孔の縁に係合することで、保持部材をシールドに脱落不能に支持することができる。
【０００６】
しかしながら、保持部材は合成樹脂製の小さい部材であるため、それをシールドの支持孔に挿入する際に傾いたりすると、主軸の弾性片に無理な応力が加わって変形したり折損したりする可能性があった。
【０００７】
本発明は前述の事情に鑑みてなされたもので、シールドに防曇シートを保持する保持部材の耐久性を高めることを目的とする。
【課題を解決するための手段】
【０００８】
上記目的を達成するために、請求項１に記載された発明によれば、シールドの内面を覆う防曇シートの周縁部に形成される複数の座部と、前記座部との対応位置で前記シールドに設けられる複数の支持孔と、前記支持孔に支持されながら前記座部に着座することで防曇シートを保持する複数の保持部材とよりなり、前記保持部材を、前記シールドの外面に当接する頭部を一端に有して前記支持孔に回転自在に嵌合する主軸と、前記主軸の他端に偏心して一体に連設されて前記座部に着座し得る、前記主軸より小径の偏心軸と、前記偏心軸の外端に一体に連設され、前記主軸と協働して前記偏心軸周りに環状溝を画成する、前記支持孔を通過可能な膨大端部とよりなる合成樹脂製の単一部品に構成し、前記主軸に、一端が前記頭部に開口して他端が前記偏心軸へ向かって開口する凹部を形成するとともに、一端が前記頭部にヒンジ部を介して接続された係止部材に係止爪を突設し、前記係止部材が前記ヒンジ部周りに回動して前記凹部に嵌合したとき、前記係止爪は前記シールドの内面に当接し得るように前記主軸の外周面から径方向外側に突出することを特徴とするシールドへの防曇シート取り付け構造が提案される。
【０００９】
また請求項２に記載された発明によれば、請求項１の構成に加えて、前記保持部材が前記支持孔に支持された状態で、前記頭部は前記シールドの外面に密着して前記保持部材が前記支持孔の内部に落下するのを阻止するとともに、前記頭部は前記シールドの内面に密着する前記係止爪と協働して該シールドを保持することを特徴とするシールドへの防曇シート取り付け構造が提案される。
【００１０】
また請求項３に記載された発明によれば、請求項１または請求項２の構成に加えて、前記主軸の外周面における前記凹部と反対側の位置に径方向外側に突出する補助係止爪を突設し、前記補助係止爪の突出量を前記係止爪の突出量よりも小さくしたことを特徴とするシールドへの防曇シート取り付け構造が提案される。
【００１１】
また請求項４に記載された発明によれば、請求項１〜請求項３の何れか１項の構成に加えて、前記主軸の前記頭部直下の外周に周方向溝を介して小径部を形成したことを特徴とするシールドへの防曇シート取り付け構造が提案される。
【００１２】
また請求項５に記載された発明によれば、請求項１〜請求項４の何れか１項の構成に加えて、前記頭部に、前記偏心軸の前記主軸に対する偏心位置を示す目印を付す一方、前記膨大端部に工具係合部を形成したことを特徴とするシールドへの防曇シート取り付け構造が提案される。
【００１３】
また請求項６に記載された発明によれば、請求項１〜請求項５の何れか１項の構成に加えて、前記防曇シートの外面に、その周縁に沿い無端状に延びて前記シールドの内面に密接するシール部材を付設して、前記シールドおよび前記防曇シート間に前記シール部材に囲まれる密閉空隙を画成したことを特徴とするシールドへの防曇シート取り付け構造が提案される。
【００１４】
尚、実施の形態の目印突起１６は本発明の目印に対応する。
【発明の効果】
【００１５】
請求項１の構成によれば、合成樹脂製の保持部材は、一端の頭部から他端の膨大端部までが一体の単一部品に構成され、これにより防曇シートをシールドに取り付けることができるので、構造が簡単で取り付けが容易な防曇シート取り付け構造を安価に提供することができる。また保持部材の主軸に、一端が頭部に開口して他端がその下方の偏心軸へ向かって開口する凹部を形成するとともに、一端が頭部にヒンジ部を介して接続された係止部材の他端に係止爪を突設したので、主軸を支持孔に挿入した後に係止部材をヒンジ部周りに回動して凹部に嵌合すると、係止爪が主軸の外周面から径方向外側に突出してシールドの内面に係合することで、係止部材を支持孔に脱落不能に支持することができる。しかも、主軸を支持孔に挿入するときに係止爪に応力が加わることがないので、係止爪の変形や折損を防止して保持部材の耐久性を高めることができる。さらに、主軸と係止部材とがヒンジ部を介して一体化しているので、保持部材をシールドに組み付ける際に係止部材を紛失する虞がない。
【００１６】
また請求項２の構成によれば、保持部材が支持孔に支持された状態で、頭部はシールドの外面に密着して保持部材が支持孔の内部に落下するのを阻止するとともに、頭部はシールドの内面に密着する係止爪と協働して該シールドを保持するので、シールドが衝撃を受けてシールドから保持部材に応力が加わっても、その応力が頭部と係止爪とに分散されることで保持部材の破損が防止される。
【００１７】
また請求項３の構成によれば、主軸の外周面における凹部の他端と反対側の位置に径方向外側に突出する補助係止爪を突設し、補助係止爪の突出量を係止爪の突出量よりも小さくしたので、係止部材の係止爪との協働で保持部材を支持孔に確実に支持することを可能にしながら、保持部材の主軸を支持孔に挿入する際に補助係止爪が邪魔になるのを防止することができる。
【００１８】
また請求項４の構成によれば、主軸の軸方向中間部の外周に周方向溝を介して小径部を形成したので、ヘルメットの取り扱い中、シールドが他物との衝撃的な接触により変形して防曇シート間に相対移動が生じ、これに起因する応力が保持部材に加わると、小径部で主軸が弾性変形することで上記応力を吸収して保持部材の破損を防ぐことができる。
【００１９】
また請求項５の構成によれば、頭部に、偏心軸の主軸に対する偏心位置を示す目印を付す一方、膨大端部に工具係合部を形成したので、膨大端部の工具係合部に係合した工具により保持部材を回転する際に、頭部に付した目印により、偏心軸の偏心位置、即ち防曇シートに対するアンロック位置およびロック位置を確認することができ、組立性をより一層良好にすることができる。
【００２０】
また請求項６の構成によれば、防曇シートの外面に、その周縁に沿い無端状に延びてシールドの内面に密接するシール部材を付設して、シールドおよび防曇シート間にシール部材に囲まれる密閉空隙を画成したので、密閉空隙が断熱空間となってシールドの内外面の温度差を少なくし、その防曇を図ることができるだけでなく、雨天時にシールドおよび防曇シートの対向面への雨滴の付着を防ぎ、雨滴による視界の悪化を極力防ぐことができる。
【図面の簡単な説明】
【００２１】
【図１】防曇シート付きシールドを備えるヘルメットの斜視図。
【図２】シールド、防曇シートおよび保持部材の分解斜視図。
【図３】保持部材の拡大斜視図。
【図４】図１の４−４線拡大断面図（保持部材の装着過程で示す）。
【図５】図１の４−４線拡大断面図（偏心軸のアンロック位置で示す）。
【図６】図５の６−６線断面図。
【図７】図１の４−４線拡大断面図（偏心軸のロック位置で示す）。
【図８】図７の８−８線断面図。
【発明を実施するための形態】
【００２２】
以下、図１〜図８に基づいて本発明の実施の形態を説明する。
【００２３】
図１および図２において、自動二輪車、バギー等の乗車用ヘルメット１には、その前面窓２を覆うシールド３が着脱可能に装備される。このシールド３は、透光性かつ硬質の合成樹脂（例えばポリカーボネート）で成形されており、このシールド３に、その内面を広い範囲で覆う防曇シート４が取り付けられる。この防曇シート４は透光性および親水性を有する合成樹脂（例えばプロピオン酸セルロース）で成形されていて、ヘルメット１を装着したユーザの呼気による曇りを発生させないようになっている。
【００２４】
シールド３および防曇シート４は、ヘルメット１の外周面に倣うよう左右方向中央部が前方に向かって膨らむように湾曲しており、防曇シート４の外面には、その周縁に沿って無端状に延びるシール部材５が接着される。この防曇シート４の左右両端縁には、Ｕ字状に切欠いた一対の座部６が形成され、これら座部６に対応してシールド３には一対の支持孔７（図２には左側の座部６および支持孔７のみを示す。）が設けられる。これら支持孔７に支持される保持部材８が座部６に係合することで、防曇シート４がシールド３に取り付けられるようになっている。
【００２５】
図３〜図６に示すように、各保持部材８は、シールド３の外面に当接する頭部９ａを一端に有してシールド３の支持孔７に回転自在に嵌合する主軸９と、この主軸９の他端にその中心軸線Ｙに対し一定量ｅ偏心して一体に連設されて防曇シート４の座部６に対向する偏心軸１０と、この偏心軸１０の外端に一体に連設される膨大端部１１とよりなる合成樹脂製の単一部品に構成される。
【００２６】
偏心軸１０は主軸９より小径に形成され、また膨大端部１１は、主軸９と同軸状にかつそれと同径若しくはそれより僅かに小径に形成され、そして主軸９と協働して偏心軸１０周りに環状溝１２を画成する。そして、これら膨大端部１１および偏心軸１０は、支持孔７を通過可能になっている。また偏心軸１０は、座部６から充分に離間したアンロック位置（図５および図６参照）と、座部６に着座するロック位置（図７および図８参照）との間を１８０°回転することができる。
【００２７】
主軸９の中心軸線Ｙ方向の中間部には、周方向溝９ｂにより直径が減少した弾性変形可能な小径部９ｃが形成される。また主軸９には、一端が頭部９ａに開口して他端が外周面に開口する凹部１３が形成されるとともに、頭部９ａの外周には薄肉に形成されたヒンジ部１４を介して係止部材１５が一体に形成される。係止部材１５は、頭部９ａに形成した円形の壁部９ｄの内周に嵌合可能な円板状の蓋部１５ａと、蓋部１５ａの内面に設けられた本体部１５ｂと、本体部１５ｂの先端から突出する係止爪１５ｃとを備える。ヒンジ部１４を介して係止部材１５を１８０°回動すると、本体部１５ｂが主軸９の凹部１３内に隙間なく嵌合し、係止爪１５ｃが主軸９の外周面を超えて径方向外側に突出し、また蓋部１５ａは頭部９ａに形成した壁部９ｄの内周に嵌合する。
【００２８】
主軸９の外周面から前記係止爪１５ｃが突出する位置の反対側には、主軸９の外周面に沿って円弧状に延びる補助係止爪９ｅが突設される。補助係止爪９ｅの主軸９の外周面からの突出量は、係止爪１５ｃの主軸９の外周面からの突出量よりも小さく設定される。
【００２９】
さらに主軸９の頭部９ａには、偏心軸１０の位置を示す目印突起１６が形成される。図示例では、目印突起１６は、頭部９ａの外周より偏心軸１０の偏心方向と反対側に突出するように配置される。頭部９ａと反対側の膨大端部１１の外周には六角形の工具係合部１１ａが形成される。
【００３０】
次に、この実施形態の作用について説明する。
【００３１】
防曇シート４をシールド３に取り付けるに当たっては、先ず、係止部材１５が未だ主軸９の凹部１３に嵌合していない状態のまま、保持部材８をシールド３の外面側から各支持孔７に膨大端部１１を先頭にして挿入する。このとき、主軸９に設けた補助係止爪９ｅが支持孔７と干渉する可能性があるが、主軸９の外径は支持孔７の内径よりも僅かに小さく、また補助係止爪９ｅの突出量は小さく、かつ補助係止爪９ｅは弾性変形が可能であるため、保持部材８の主軸９は支持孔７に容易に挿入可能である。
【００３２】
続いて、主軸９の頭部９ａをシールド３の外面に押し付けた状態で、係止部材１５をヒンジ部１４周りに１８０°回動させて凹部１３に嵌合すると、係止部材１５の先端に設けた係止爪１５ｃが主軸９の外周面から径方向外側に突出し、シールド３の内面に係合する。その結果、シールド３の支持孔７の周縁部の外面側に頭部９ａに当接し、かつシールド３の支持孔７の周縁部の内面側に係止爪１５ｃおよび補助係止爪９ｅが当接することで、保持部材８が支持孔７に脱落不能に支持される。
【００３３】
このとき、係止爪１５ｃおよび補助係止爪９ｅは主軸９の直径方向両端に位置するため、両者の協働により保持部材８を確実に支持することができる。しかも、保持部材８を支持孔７に挿入した後に、主軸９の凹部１３に係止部材１５を嵌合することで係止爪１５ｃをシールド３の内面に係合するので、係止爪１５ｃが支持孔７と干渉して変形したり折損したりする虞がなくなり、保持部材８の耐久性が向上する。
【００３４】
次いで、左右の保持部材８の主軸９の頭部９ａの目印突起１６をシールド３の左右中央部へ向けるように回転して、左右の偏心軸１０を主軸９の中心軸線Ｙからシールド３の左右外側へ向ければ、左右の偏心軸１０は、それらの軸間距離を最大にしたアンロック位置を占めることになる。そこで、防曇シート４を左右にずらしながら、その左右両端部を左右の保持部材８の環状溝１２に順次挿入して、シールド３の左右の座部６を、それぞれ対応する偏心軸１０の外周面に対向させる（図５および図６参照）。
【００３５】
次に、各保持部材８において、膨大端部１１の工具係合部１１ａにボックスレンチやスパナ等の工具１８を係合し、その工具１８により保持部材８を略１８０°回転すれば（その回転角度は、目印突起１６の回転位置から確認することができる。）、それと一体に回転する偏心軸１０は座部６に着座すると同時に押圧することになるので、元々前方へ凸状に湾曲した防曇シート４は、更に湾曲してシール部材５をシールド３の内面に充分に密着させることになる。このような状態になると、座部６の偏心軸１０に対する反力の作用線が偏心軸１０の中心軸線Ｙもしくはその近傍を通るようになるので、偏心軸１０はロック状態となり、保持部材８の妄りな回転を防ぐことができる。
【００３６】
このように、防曇シート４が一対の保持部材８を介してシールド３に取り付けられ、無端状のシール部材５がシールド３の内面に密接すると、シールド３および防曇シート４間にシール部材５に囲まれた密閉空隙１７が画成され、これが断熱空間となってシールド３の内外面の温度差を少なくし、シールド３の曇り止めを図ることができるのみならず、雨天時、シールド３および防曇シート４の対向面への雨滴の付着を防ぎ、雨滴による視界の悪化を極力防ぐことができる。
【００３７】
ところで、合成樹脂製の保持部材８は、上記のように、一端の頭部９ａから他端の膨大端部１１までが一体の単一部品に構成されるので、構造が簡単で取り付けが容易な防曇シート取り付け構造を安価に提供することができる。
【００３８】
しかも、ヘルメット１の取り扱い中、シールド３が他物との衝撃的な接触により変形することで、シールド３および防曇シート間に急激な相対移動が生じ、これに起因する応力が保持部材８に加わると、主軸９の小径部９ｃが曲げや伸びの弾性変形により上記応力を吸収し、保持部材８の破損を防ぐことができる。したがって、保持部材８は、その耐久性の向上により、長期に亙り防曇シート４を確実に保持することができる。
【００３９】
また保持部材８をシールド３の支持孔７に支持した状態では、頭部９ａがシールド３の外面に密着するため、保持部材８が支持孔７の内部に落下するのを阻止することができる。しかも、頭部９ａはシールド３の内面に密着する係止爪１５ｃと協働してシールド３を保持するので、シールド３が衝撃を受けたときにシールド３から保持部材８に応力が加わっても、その応力が頭部９ａと係止爪１５ｃとに分散されることで保持部材８の破損が防止される。
【００４０】
さらに、主軸９と係止部材１５とがヒンジ部１４を介して一体化しているので、保持部材８をシールド３に組み付ける際に係止部材１５を紛失する虞がない。
【００４１】
防曇シート４をシールド３から取り外すときは、上記の取り付け操作と反対の操作をすればよい。
【００４２】
以上、本発明の実施の形態を説明したが、本発明はその要旨を逸脱しない範囲で種々の設計変更を行うことが可能である。
【００４３】
例えば、六角形の工具係合部１１ａに代えて、膨大端部１１の端面にプラスまたはマイナスドライバを係合させるプラスまたはマイナス溝を形成することもできる。
【００４４】
また目印突起１６は、偏心軸１０の偏心方向に向かって頭部９ａに形成することもできる。
【００４５】
また本発明はゴーグル用のシールドへの防曇シートの取り付けにも適用可能である。
【符号の説明】
【００４６】
３          シールド
４          防曇シート
５          シール部材
６          座部
７          支持孔
８          保持部材
９          主軸
９ａ        頭部
９ｂ        周方向溝
９ｃ        小径部
９ｅ        補助係止爪
１０        偏心軸
１１        膨大端部
１１ａ      工具係合部
１２        環状溝
１３        凹部
１４        ヒンジ部
１５        係止部材
１５ｃ      係止爪
１６        目印突起（目印）
１７        密閉空隙
【図１】
0006411904.tif 000002
【図２】
0006411904.tif 000003
【図３】
0006411904.tif 000004
【図４】
0006411904.tif 000005
【図５】
0006411904.tif 000006
【図６】
0006411904.tif 000007
【図７】
0006411904.tif 000008
【図８】
0006411904.tif 000009